(57)【要約】【課題】本発明は、羽根車をモータから容易に取り外すことができる新規な衣服内冷却用送風機、及び前記衣服内冷却用送風機を備えた送風機付衣服を提供することを目的とする。【解決手段】  衣服本体１０１内に外気を送り込むための衣服内冷却用送風機１において、  羽根車３を回転させるためのモータ２と前記羽根車３とを、前記モータ２の回転軸２１に取り付けられた雄部材５と前記羽根車３の回転中心に設けられた雌部６との嵌合と、前記雄部材５と前記雌部６との嵌合状態を維持する係止部材７とによって連結する。【選択図】図１
2019214948.tif 000002
【特許請求の範囲】
【請求項１】
衣服本体に取り付けられて、前記衣服本体内に外気を送り込むための衣服内冷却用送風機であって、
モータと、
前記モータの回転軸に連結された羽根車と、
前記モータ及び前記羽根車の周囲を囲うガードと、
を具備してなり、
前記モータと前記羽根車との連結が、
前記モータの回転軸に取り付けられた雄部材と前記羽根車の回転中心に設けられた雌部との嵌合と、
前記雄部材と前記雌部との嵌合状態を維持する係止部材と、
によってなされたことを特徴とする衣服内冷却用送風機。
【請求項２】
請求項１に記載の衣服内冷却用送風機において、
前記係止部材がネジとなされ、前記雄部材と前記雌部とを締結する前記係止部材の螺合によって、前記雄部材と前記雌部との嵌合状態が維持されるようになされた衣服内冷却用送風機。
【請求項３】
請求項１に記載の衣服内冷却用送風機において、
前記係止部材が前記雌部に設けられた爪部となされ、前記雄部材と前記雌部との嵌合時に前記爪部が前記羽根車に引っ掛かることによって、前記雄部材と前記雌部との嵌合状態が維持されるようになされた衣服内冷却用送風機。
【請求項４】
請求項１ないし３のいずれか１項に記載の衣服冷却用送風機が衣服本体に取り付けられたことを特徴とする送風機付衣服。
【発明の詳細な説明】
【技術分野】
【０００１】
本発明は、衣服本体に取り付けられて、前記衣服本体内に外気を送り込むための衣服内冷却用送風機、及び前記衣服内冷却用送風機を備えた送風機付衣服に関する。
【背景技術】
【０００２】
最近、作業服等の衣服（以下、「衣服本体」と称する。）内に外気を供給することによって、前記衣服本体内を冷却する送風機付衣服（冷却衣服）が実用化されている（例えば、下記特許文献１参照。）。
【先行技術文献】
【特許文献】
【０００３】
【特許文献１】特許第５９５８９２３号公報
【発明の概要】
【発明が解決しようとする課題】
【０００４】
この種の送風機付衣服は、衣服本体の適宜箇所に開けられた穴に送風機を装着し、前記送風機を介して衣服本体内に外気を送り込む仕組みとなされている。そして、前記送風機としては、複数枚の羽根を有する羽根車（ファン）をモータ駆動によって回転させるものが一般的であり、取り扱い上の安全性のために前記羽根車（及びモータ）の周囲がガードにて囲まれた構造となされている。
【０００５】
ところで、前記送風機付衣服は、前記羽根車の回転によって発生させた空気の流れを、前記ガードを通じて衣服本体内に供給するものであることから、外気中に含まれる埃を前記ガード内に貯めやすいものであった。そのため、前記送風機付衣服を一定期間使用した後には、前記送風機における前記ガード内の誇りを取り除くメンテナンス作業が必要となる。
【０００６】
最近では、前記メンテナンス作業を簡便なものにすべく、前記ガードにつき前記羽根車の前方側を囲う部材と後方側を囲う部材の組み立て構造とし、前記ガードを開放することによって前記羽根車を露出し得るようにした送風機も開発されている。
【０００７】
しかしながら、このような構造の送風機においても、前記羽根車の羽根に付着した埃を取り除くことは困難であった。なぜなら、前記モータが前記ガードに対し、実質的に分離不可能な状態で固定されていたため、前記羽根車におけるモータ側に臨む側を十分に掃除することができなかったからである。
【０００８】
本発明は前記技術的課題に鑑みて開発されたものであり、羽根車をモータから容易に取り外すことができる新規な衣服内冷却用送風機、及び前記衣服内冷却用送風機を備えた送風機付衣服を提供することを目的とする。
【課題を解決するための手段】
【０００９】
前記技術的課題を解決する本発明の衣服内冷却用送風機は、衣服本体に取り付けられて、前記衣服本体内に外気を送り込むための衣服内冷却用送風機であって、モータと、前記モータの回転軸に連結された羽根車と、前記モータ及び前記羽根車の周囲を囲うガードと、を具備してなり、前記モータと前記羽根車との連結が、前記モータの回転軸に取り付けられた雄部材と前記羽根車の回転中心に設けられた雌部との嵌合と、前記雄部材と前記雌部との嵌合状態を維持する係止部材と、によってなされたことを特徴とする（以下、「本発明送風機」と称する。）。
【００１０】
前記本発明送風機においては、前記係止部材がネジとなされ、前記雄部材と前記雌部とを締結する前記係止部材の螺合によって、前記雄部材と前記雌部との嵌合状態が維持されるようになされたものが好ましい態様となる。
【００１１】
前記本発明送風機においては、前記係止部材が前記雌部に設けられた爪部となされ、前記雄部材と前記雌部との嵌合時に前記爪部が前記羽根車に引っ掛かることによって、前記雄部材と前記雌部との嵌合状態が維持されるようになされたものが好ましい態様となる。
【００１２】
前記技術的課題を解決するための本発明送風機付衣服は、前記本発明送風機が衣服本体に取り付けられたことを特徴とする（以下、「本発明衣服」と称する。）。
【発明の効果】
【００１３】
本発明によれば、羽根車に付着した埃を取り除くメンテナンス作業が容易になる。
【図面の簡単な説明】
【００１４】
【図１】図１は、実施形態１に係る本発明送風機を示す正面図（ａ）と、Ａ‐Ａ断面図（ｂ）である。
【図２】図２（ａ）、（ｂ）は、前記本発明送風機の羽根車を示す斜視図である。
【図３】図３は、前記本発明送風機の雄部材が存する部分を拡大して示す断面図である。
【図４】図４は、前記本発明送風機におけるモータと羽根車の連結を示す分解斜視図である。
【図５】図５は、前記本発明送風機を備えた本発明衣服を示す正面図である。
【図６】図６は、実施形態２に係る本発明送風機を示す断面図である。
【図７】図７は、前記本発明送風機におけるモータと羽根車の連結を示す分解斜視図である。
【発明を実施するための形態】
【００１５】
以下、本発明の実施形態を、図面を参照しながら説明するが、本発明はこれらの実施形態に限定されるものではない。
【００１６】
［実施形態１］
＜本発明送風機１＞
図１に、実施形態１に係る本発明送風機１を示す。前記本発明送風機１は、モータ２と、前記モータ２の回転軸２１に連結された羽根車３と、前記モータ２及び前記羽根車３の周囲を囲うガード４と、を具備する。又、前記本発明送風機１では、前記モータ２と前記羽根車３との連結につき、前記モータ２の回転軸２１に取り付けられた雄部材５と前記羽根車３の回転中心に設けられた雌部６との嵌合と、前記雄部材５と前記雌部６との嵌合状態を維持する係止部材７と、によってなされる。
【００１７】
‐モータ２‐
前記モータ２は、ローレンツ力（磁場と電流の相互作用）によって発生する力を利用して回転運動を出力する機械要素を意味する。本実施形態においては、前記モータ２として、ケーブルＬを介して供給される電力により回転軸２１を回転させる仕組みのもの（市販の模型用電動モータ）を用いた。
【００１８】
‐羽根車３‐
前記羽根車３は、前記モータ２から出力された回転運動を受けて回転することによって、一定方向に向かう空気の流れを発生させるための機械要素である。図２に示すように、本実施形態においては、前記羽根車３として、前記羽根車３の回転中心をなすボス３１と、前記ボス３１を中心として放射状に配された五枚の烏帽子型の羽根３２と、を具備してなるもの（五枚羽根ロータ）を用いた。
【００１９】
‐ガード４‐
前記ガード４は、前記モータ２及び前記羽根車３の周囲を囲うことによって、前記本発明送風機１の使用中の安全性を確保するものである。又、前記ガード４は、前記羽根車３の回転によって発生させた空気の流れを通過させ得る構造をなす必要があることから、少なくとも前記羽根車３の羽根３２の表裏面に臨む部分には、メッシュ状、網状、或いは格子状などの開き目が設けられる。本実施形態においては、前記ガード４につき、ドーム状のガード本体４１、及び、前記ガード本体４１の開口部分を覆うガード蓋４２の二部材とし、前記ガード本体４１と前記ガード蓋４２とを螺合させることによって、前記モータ２及び前記羽根車３の周囲を囲う空間が形成される構造とした。なお、前記モータ２は、前記ガード本体４１の中央に固定されている。
【００２０】
‐雄部材５‐
図３に示すように、前記雄部材５は、前記モータ２の回転軸２１に取り付けられる。本実施形態においては、前記雄部材５として、角柱状（四角柱状）の部材を用い、これを前記回転軸２１の先端に固定した。又、前記雄部材５が前記回転軸２１に対する前記雄部材５の固定は、前記雄部材５の中心軸に沿って設けた貫通孔５１の一端側から前記モータ２の回転軸２１を押し込むことによって行った。なお、前記貫通孔５１の他端側には雌ネジＳが設けられている。
【００２１】
‐雌部６‐
前記雌部６は、前記羽根車３の回転中心に設けられる。本実施形態においては、前記ボス３１の中央に前記雄部材５を収容し得る形状（角筒状（四角筒状））の収容室を設け、これを前記雌部６とした（図２参照）。なお、前記雌部６の底面には、前記雄部材５に設けた雌ネジＳの径より大径の透孔６１が設けられている。
【００２２】
‐係止部材７‐
前記係止部材７は、前記雄部材５と前記雌部６との嵌合状態を維持する役割を担う。本実施形態においては、前記係止部材７として、前記雄部材５に設けた雌ネジＳと螺合し得るネジ（化粧ネジ）を用いた。
【００２３】
図４に示すように、前記構成を有する本発明送風機１を構築するにあたっては、まず、前記ガード本体４１に固定された前記モータ２の回転軸２１に取り付けられた前記雄部材５を、前記羽根車３の回転中心に設けられた雌部６に嵌合させる。この状態で前記係止部材７を前記雌ネジＳに締結すれば、前記雄部材５と前記雌部６との嵌合状態が維持されて前記モータ２と前記羽根車３とが連結する。最後に、前記ガード本体４１に前記ガード蓋４２を螺合させれば、前記モータ２及び前記羽根車３の周囲を囲う空間が形成され、もって前記本発明送風機１が構築される。
【００２４】
そして、前記本発明送風機１は、前記モータ２と前記羽根車３との連結につき、前記雄部材５と前記雌部６との嵌合によるものとしているから、前記モータ２に対する前記羽根車３の位置決めが容易となる。又、前記雌部６と前記雄部材５との嵌合状態を係止部材７によって維持しているから、前記モータ２の回転と前記羽根車３との回転に齟齬（いわゆる空回り）が生じ難くなり、又、使用中における前記羽根車３の脱落等が生じ難くなる。
【００２５】
＜本発明衣服１０＞
図５に、前記本発明送風機１を備えた本発明衣服１０を示す。前記本発明衣服１０は、前記本発明送風機１が衣服本体１０１に取り付けられたものである。前記本発明衣服１０は、前記本発明送風機１によって前記衣服本体１０１の外部から内部に向かう空気の流れを発生させることによって、外気を前記衣服本体１０１内に送り込み、もって、前記衣服本体１０１内を冷却するものである。本実施形態においては、前記衣服本体１０１の複数個所（四箇所）に穴をあけ、各穴に前記本発明送風機１を取り付けることによって前記本発明衣服１０を構築した。なお、各本発明送風機１を駆動させるための電力については、バッテリーＢに蓄電された電力がケーブルＬを通じて供給される仕組みとなされている。
【００２６】
即ち、前記構成を有する前記本発明衣服１０は、外気を前記衣服本体１０１内に供給するものであることから、前記本発明衣服１０を使用すればするほど、外気中に含まれる埃が前記本発明送風機１の前記ガード４内に蓄積していく。そのため、前記本発明衣服１０を一定期間使用した後には、前記本発明送風機１における前記ガード４内の埃を取り除くメンテナンス作業が必要となる。
【００２７】
この点につき、前記本発明送風機１は、前記モータ２と前記羽根車３との連結が、前記雄部材５と前記雌部６との嵌合と、この嵌合状態を維持する前記係止部材７によってなされているため、前記係止部材７を解除することによって前記雄部材５と前記雌部６との嵌合を解けば前記羽根車３を単体で取り出すことができる。これより、前記羽根車３の羽根３２の両面に付着した埃や、前記モータ２と前記羽根車３の間にある隙間に蓄積した埃を容易に取り除くことができる。
【００２８】
ところで、本実施形態においては、前記雄部材５を角柱状（四角柱状）とする一方で、前記雌部６につき前記雄部材５を収容し得る形状（角筒状（四角筒状））としたが、前記雄部材５及び前記雌部６の形状は特に限定されない。又、前記雄部材５及び前記雌部６の形状をそろえる必要もない。要は、前記雌部６及び前記雄部材５につき、両者を嵌合させれば、前記モータ２の回転軸２１と前記羽根車３の回転中心が同一直線状に並ぶような関係とすれば良い。
【００２９】
又、本実施形態においては、前記係止部材７につきネジを用いたが、前記係止部材７としては、前記雄部材５と前記雌部６との嵌合状態を維持する機械要素であれば特に限定されない。なお、前記係止部材７としてネジを用いる場合にあっては、本実施形態において用いた化粧ネジ、或いは蝶ネジのような工具無しで締結できる仕組みのものを用いれば、本発明送風機１の組み立てや分解がより容易になる利益が生じる。
【００３０】
［実施形態２］
＜本発明送風機１＞
図６に、実施形態２に係る本発明送風機１を示す。前記本発明送風機１は、モータ２と、羽根車３と、ガード４と、を具備する。本実施形態におけるモータ２、羽根車３、及びガード４は、前記実施形態１において用いたものと同様である。
【００３１】
本実施形態においても、前記モータ２と前記羽根車３との連結は、前記モータ２の回転軸２１に取り付けられた雄部材５と前記羽根車３の回転中心に設けられた雌部６との嵌合と、前記雄部材５と前記雌部６との嵌合状態を維持する係止部材７と、によってなされる。
【００３２】
‐雄部材５‐
図７に示すように、本実施形態においては、前記雄部材５として、前記モータ２の前記回転軸２１の先端に固定される円盤状の基部５２と、前記基部５２の一面から屹立して対向する双璧５３と、を具備してなるものを用いた。なお、前記回転軸２１に対する前記雄部材５の固定は、前記基部５２の中心に設けられた貫通孔５１に前記モータ２の回転軸２１を押し込むことによって行った。
【００３３】
‐雌部６‐
本実施形態においては、前記雌部６として、前記ボス３１の中央に設けた長穴６２と、前記長穴６２の縁に沿って前記ボス３１内に向かって突出させた縁周壁６３とを具備してなるものを用いた。
【００３４】
‐係止部材７‐
本実施形態においては、前記双璧５３の各先端に爪部を設け、これを前記係止部材７とした。
【００３５】
前記構成を有する本発明送風機１を構築するにあたっては、まず、前記雄部材５を前記雌部６に嵌合させる。本実施形態においてこの嵌合は、前記雄部材５の双璧５３を前記雌部６の縁部６３に向かって押し込む。この押し込み作業は、前記双璧５３の弾性変形（前記双璧５３が互いに近づく方向への変形）を利用し、前記双璧５３の先端に存する前記係止部材７が前記雌部６の長穴６２を通過するまで行う。前記係止部材７が前記長穴６２を通過すると、押し込み作業中に生じた前記双璧５３の弾性変形が回復し、前記係止部材７をなす爪部が前記羽根車（前記羽根車３のボス３１）３に引っ掛かる。これにより、前記雄部材５と前記雌部６との嵌合状態が維持される。これによって、前記モータ２と前記羽根車３と連結がなされる（図７参照）。最後に、前記ガード本体４１に前記ガード蓋４２を螺合させれば、前記モータ２及び前記羽根車３の周囲を囲う空間が形成され、もって前記本発明送風機１が構築される。
【００３６】
即ち、本実施形態に係る本発明送風機１は、前記係止部材７が前記雄部材５に設けられた爪部となされ、前記雄部材５と前記雌部６との嵌合時に前記爪部が前記羽根車３に引っ掛かることによって、前記雄部材５と前記雌部６との嵌合状態が維持されるようになされているから、部品点数の減少に伴う製造コスト減が期待されるものとなる。又、前記本発明送風機１の組み立てや分解がより容易になる利益がある。
【００３７】
その余は、前記実施形態１と同様であることから、繰り返しの説明を避けるべく、ここでは説明を省略する。
【００３８】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３９】
本発明は、外気を衣服本体内に供給することによって、前記衣服本体内を冷却する手段として好適に利用される。
【符号の説明】
【００４０】
１  本発明送風機（衣服内冷却用送風機）
２  モータ
２１  回転軸
３  羽根車
３１  ボス
３２  羽根
４  ガード
４１  ガード本体
４２  ガード蓋
５  雄部材
６  雌部
７  係止部材
１０  本発明衣服（送風機付衣服）
１０１  衣服本体
【図１】
2019214948.tif 000003
【図２】
2019214948.tif 000004
【図３】
2019214948.tif 000005
【図４】
2019214948.tif 000006
【図５】
2019214948.tif 000007
【図６】
2019214948.tif 000008
【図７】
2019214948.tif 000009